(57)【要約】      （修正有）【課題】膜体と型板とを分離した反射板であり、膜体と型板それぞれの交換を可能にしつつも膜体にたるみのない張力を付与する反射板と、膜体を型板にたるみなく固定する挟持具とを提供する。【解決手段】反射板は、型板１と、型板１の表側に配された光反射性のある膜体２と、型板１の外縁部において、型板１の裏側へ巻き込んだ膜体２を挟持する挟持溝を有する挟持具３と、型板１の裏側において膜体２と挟持具３とを固定する固定部材と、を備え、挟持具３の型板１の外縁部への装着時に、固定部材によって型板１の表側の膜体２が連れて型板１の裏側へと引き込まれることによって、型板１の表側において、膜体２に張力が付与されている。【選択図】図２４
2018136373.tif 000002
【特許請求の範囲】
【請求項１】
型板と、
前記型板の表側に配された光反射性のある膜体と、
前記型板の外縁部において、前記型板の裏側へ巻き込んだ前記膜体を挟持する挟持溝を有する挟持具と、
前記型板の裏側において、前記膜体と前記挟持具とを固定する固定部材と、
を備え、
前記挟持具の前記型板の外縁部への装着時に、前記固定部材により前記型板の表側の前記膜体が連れて前記型板の裏側へと引き込まれることによって、前記型板の表側の前記膜体に張力が付与されていることを特徴とする反射板。
【請求項２】
型板と、
前記型板の表側に配された光反射性のある膜体と、
前記型板の外縁部において、前記型板の裏側へ巻き込んだ前記膜体を挟持する挟持溝を有する挟持具と、
前記挟持溝における前記型板の裏側に対向する裏側内壁面と前記膜体との摩擦度合いを、前記型板の表側に対向する表側内壁面と前記膜体との摩擦度合いよりも高くする高摩擦部が、前記裏側内壁面に設けられており、
前記挟持具の前記型板の外縁部への装着時に、前記高摩擦部により前記型板の表側の前記膜体が連れて前記型板の裏側へと引き込まれることによって、前記型板の表側の前記膜体に張力が付与されていることを特徴とする反射板。
【請求項３】
前記型板の外縁部の裏側に設けられた外縁段差部と、前記挟持具の前記裏側内壁面に突出している嵌合突部とが嵌合可能であることを特徴とする請求項１または請求項２に記載の反射板。
【請求項４】
前記型板の表側の中程部に型板凹部を有しており、前記型板の表側と前記膜体との間に隙間をもたせることを特徴とする請求項１〜請求項３のいずれかに記載の反射板。    
【請求項５】
前記型板の中程部が弾性変形しており、前記型板の外縁部よりも前記型板の裏側に突き出す状態になっていることを特徴とする請求項１〜請求項４のいずれかに記載の反射板。
【請求項６】
前記型板の中程部の中心から偏心した位置に、開口部が設けられていることを特徴とする請求項１〜請求項５のいずれかに記載の反射板。
【請求項７】
前記型板が互いに連結可能な複数の型板片からなり、隣り合う前記型板片同士が連結具により連結されて、前記型板片同士の間に隙間ができることを特徴とする請求項１〜請求項６のいずれかに記載の反射板。
【請求項８】
前記複数の型板片同士を重ねた状態に前記連結具で連結されており、前記複数の型板片を互いにスライド可能にしていることを特徴とする請求項７に記載の反射板。
【請求項９】
型板の表側に配された光反射性のある膜体を前記型板の外縁部において前記型板の裏側へ巻き込んだ状態に挟持する挟持溝を有する挟持具であって、
前記挟持溝の前記型板の裏側に対向する裏側内壁面に前記膜体を固定する固定部材が設けられており、
前記挟持具の前記型板の外縁部への装着時に、前記挟持具の前記固定部材によって前記型板の表側の前記膜体を連れて前記型板の裏側へと引き込み可能であることを特徴とする挟持具。
【請求項１０】
型板の表側に配された光反射性のある膜体を前記型板の外縁部において前記型板の裏側へ巻き込んだ状態に挟持する挟持溝を有する挟持具であって、
前記裏側内壁面と前記膜体との摩擦度合いを、前記挟持溝の前記型板の表側に対向する表側内壁面と前記膜体との摩擦度合いよりも高くする高摩擦部が、前記裏側内壁面に設けられており、
前記挟持具の前記型板の外縁部への装着時に、前記挟持具の前記高摩擦部によって前記型板の表側の前記膜体を連れて前記型板の裏側へと引き込み可能であることを特徴とする挟持具。
【請求項１１】
前記裏側内壁面に、前記型板の外縁部に設けられた外縁段差部と嵌合可能な嵌合突部を有していることを特徴とする請求項９または請求項１０に記載の挟持具。
【発明の詳細な説明】
【技術分野】
【０００１】
本発明は、光を反射する反射板およびそれに用いる挟持具に関する。
【背景技術】
【０００２】
農業分野では、光反射性のあるシートを地面に広げて果実に照射して色つけを促すことが行われており、安価であり普及しているが、シートの耐候性は低く1シーズン程度で廃棄されている。
【０００３】
また、平面鏡タイプとしては、破損しやすいガラスを用いないで、膜体（アルミ蒸着フイルム等）を合成樹脂の型板に密着した製品がある。しかしながら、膜体の密着にはシワや気泡をつくらない技術を必要とし、光反射面に型板の材質が影響を与えないように、型板の表面は完全に平滑でなければならない。そして、フイルムの劣化と型板の変形を抑えるために屋内の使用に限定されてしまい、高価であってもフイルムと型板の一方に不具合が生じれば全体を廃棄しなければならないという問題もある。
【０００４】
下記特許文献１には、アルミ蒸着フイルムそのものの材質及び構成を特定のものとして耐候性を高め、それを型板に貼り付ける反射板が開示されている。
【先行技術文献】
【特許文献】
【０００５】
【特許文献１】登録実用新案第３１４９３１２号公報
【発明の概要】
【発明が解決しようとする課題】
【０００６】
本発明は、従来の反射板に上記のような難点があったことに鑑みて成されたものであり、膜体と型板とを分離した構成とし、膜体と型板それぞれの交換を可能にしつつ、膜体にたるみのない張力を付与した反射板と、膜体を型板にたるみなく固定する挟持具を提供することを技術課題とする。
【課題を解決するための手段】
【０００７】
本発明に係る反射板は、型板と、前記型板の表側に配された光反射性のある膜体と、前記型板の外縁部において、前記型板の裏側へ巻き込んだ前記膜体を挟持する挟持溝を有する挟持具と、前記型板の裏側において、前記膜体と前記挟持具とを固定する固定部材と、を備え、前記挟持具の前記型板の外縁部への装着時に、前記固定部材により前記型板の表側の前記膜体が連れて前記型板の裏側へと引き込まれることによって、前記型板の表側の前記膜体に張力が付与されていることを特徴としている。
【発明の効果】
【０００８】
膜体と型板とが一体となった従来の反射板は、耐用性の課題もあって屋外での利用は疎まれたが、膜体と型板とを分離した本発明に係る反射板は、膜体と型板それぞれの劣化の状況に合わせた交換が可能であるため、屋外利用の課題を不問とする。また、固定部材により型板の表側の膜体が連れて裏側へと引き込まれることにより、膜体への張力を確実に付与することができ、たるみない反射面を得ることができる。そして、膜体と型板とを分離ししつつも膜体にたるみのない張力を付与する反射板と、型板に膜体を手間なく固定する挟持具の提供により、使用者は劣化した反射面をいつまでも使い続けることなく、膜体の更新によって繰り返し高い反射性を手に入れることができ、自然エネルギーの活用と地球の温暖化防止に寄与できる。そしてもちろん、屋内用途に使用できる反射板でもある。
【図面の簡単な説明】
【０００９】
【図１】本発明に係る第１実施形態の反射板の正面図である。
【図２】同反射板の背面図である。
【図３】同反射板のＡ−Ａ´線矢視断面図である。
【図４】同反射板の外縁部の拡大断面図である。
【図５】同反射板の製作工程を示す説明図であり、（イ）は挟持具装着前の拡大断面図であり、（ロ）は挟持具装着後の拡大断面図である。
【図６】同反射板の製作工程を示す背面図である。
【図７】同反射板の別の製作工程を示す説明図であり、挟持具装着前の拡大断面図である。
【図８】第１実施形態の変形例の型板の継ぎ目の例（イ）（ロ）（ハ）（ニ）を示す説明図である。
【図９】第１実施形態の他の変形例の反射板の型板の切り込み例（イ）（ロ）（ハ）を示す説明図である。
【図１０】第１実施形態のさらに他の変形例の反射板の製作工程を示す説明図であり、（イ）（ロ）は同反射板の型板を挿入した袋状の膜体の背面図であり、（ハ）はＢ−Ｂ´線矢視断面図である。
【図１１】第１実施形態のさらに他の変形例の反射板の外縁部の拡大断面図である。
【図１２】第１実施形態のさらに他の変形例であり、（イ）は同反射板の膜体取り付け前の型板および架台の斜視図であり、（ロ）は同反射板の架台を含む部分断面図である。
【図１３】本発明に係る第２実施形態の反射板に用いる挟持具の斜視断面図である。
【図１４】第２実施形態の変形例の反射板の外縁部の拡大断面図である。
【図１５】本発明に係る第３実施形態の反射板の外縁部の拡大断面図である。
【図１６】同反射板の製作工程を示す説明図であり、（イ）は同反射板の挟持具装着前の拡大断面図であり、（ロ）は挟持具装着後の拡大断面図である。
【図１７】第３実施形態の変形例の反射板の外縁部の拡大断面図である。
【図１８】本発明に係る第４実施形態の反射板の正面図である。
【図１９】同反射板の背面図である。
【図２０】同反射板のＣ−Ｃ´線矢視断面図である。
【図２１】同反射板の外縁部の拡大断面図である。
【図２２】第４実施形態の変形例の反射板の外縁部の拡大断面図（イ）（ロ）である。
【図２３】本発明に係る第５実施形態の反射板の正面図である。
【図２４】同反射板の背面図である。
【図２５】同反射板のＤ−Ｄ´線矢視断面図である。
【図２６】同反射板の外縁部の拡大断面図である。
【図２７】同反射板の型板の弾性変形を示す説明図であり、（イ）は同反射板の弾性変形前の型板の背面図であり、（ロ）は弾性変形過程の型板の背面図である。
【図２８】同反射板の型板の弾性復元が挟持具に及ぼす影響を示す説明図であり、（イ）は外縁部の拡大断面図であり、（ロ）は外縁部分の背面図である。
【図２９】第５実施形態の変形例であり、（イ）は同反射板の背面図であり、（ロ）はＥ−Ｅ´線矢視断面図である。
【図３０】第５実施形態の他の変形例の反射板の背面図である。
【図３１】矩形の型板の弾性変形を示す説明図であり、（イ）は同反射板の弾性変形前の型板の正面図であり、（ロ）は弾性変形後の型板の正面からの斜視図である。
【図３２】本発明に係る第６実施形態の反射板の背面図である。
【図３３】同反射板の型板の背面図である。
【図３４】同反射板のＦ−Ｆ´線矢視断面図である。
【図３５】第６実施形態の変形例の反射板の背面図である。
【図３６】本発明に係る第７実施形態の反射板の背面図である。
【図３７】同反射板のＧ−Ｇ´線矢視断面図である。
【図３８】同反射板の型板片の連結の工程を示す型板正面からの斜視図である。
【図３９】同反射板の変形形状を示す型板正面からの斜視図である。（イ）は型板片が弾性体の場合、（ロ）は剛体の場合の変形形状である。
【図４０】扁平な扇状の型板片からつくられる反射板の説明図であり、（イ）は反射板の型板の正面図であり、（ロ）は同反射板の変形形状を示す型板正面からの斜視図である。
【図４１】第７実施形態の変形例であり、連結具の連結の工程を示す型板正面からの斜視図である。
【図４２】第７実施形態の他の変形例であり、連結状態を示す型板正面からの斜視図である。
【図４３】第７実施形態のさらに他の変形例であり、（イ）は反射板の型板の正面図であり、（ロ）は連結具の連結の工程を示す型板正面からの斜視図である。
【図４４】本発明に係る第８実施形態の反射板の背面図である。
【図４５】同反射板の型板のＨ−Ｈ´線矢視断面図である。
【図４６】同反射板の型板片の背面図である。
【図４７】同反射板のスペーサーの説明図である。
【図４８】第８実施形態の変形例であり、同反射板の背面図である。
【発明を実施するための形態】
【００１０】
本発明を実施するための複数の形態を、以下に説明する。
【００１１】
「第１実施形態」
第１実施形態の反射板の構成を図1から図４に示す。図１と図２は反射板の正面図と背面図である。図３は反射板のＡ-Ａ´線矢視断面図であり、図４は反射板外縁部の拡大断面図である。具体的には、本実施形態の反射板は、型板１と、型板１の表側に配された光反射性のある膜体２と、型板１の外縁部において型板１の裏側へ巻き込んだ膜体２を挟持する挟持溝３１を有する挟持具３と、型板１の裏側において、膜体２と挟持具３とを固定する固定部材４と、を備えて構成されている。
【００１２】
図面に示すように本実施形態の反射板は、矩形の型板１の表側に膜体２が設けられ、型板１の外周には挟持具３が設けられている。挟持具３はその全長に亘って挟持溝３１を有する線状材であり、挟持溝３１と型板１の裏側へ巻き込んだ膜体２とを固定する固定部材４は、挟持具３本体とは別の部材として設けられている。
【００１３】
用いる素材は、型板１においては合成樹脂をはじめとして木質系、パルプ系、金属系もしくはそれらの複合品とする。膜体２においては、金属蒸着フイルムあるいは同フイルムの片面あるいは両面に保護層としての薄膜あるいはコーティングを設けたものをはじめとして光反射性に富んだフイルム、シート、布とする。挟持具３においては合成樹脂あるいは金属、もしくはそれらの複合品とする。また固定部材４は、挟持具３の挟持する圧力が小さい場合には接着材あるいは粘着材を採用して粘着固定とし、挟持する圧力が大きい場合にはゴムをはじめとして粘弾性に富んだ合成樹脂を採用して摩擦固定としても良い。
【００１４】
次に、膜体２に張力を付与する工程を図５に示す。ここでは、本実施形態の固定部材４が、挟持溝３１の型板１の裏側に対向する裏側内壁面３２に固着して設けられている例として説明する。図５（イ）に示す通り、型板１の表側の膜体２に緩みをつくらない程度に、膜体２を型板１の裏側に巻き込んで型板１に仮止めする。図では仮止め２２にテープを用いている。そして、挟持具３の挟持溝３１の一方の内壁面に固定部材４（接着材あるいは粘着材）を設け、固定部材４の側を型板１の裏側に向けて、型板１の外縁部に挟持具３を装着する。その際、図5（ロ）に示す通り、固定部材４は、型板１の表側の膜体２を連れて型板１の裏側へと引き込んで、そして、挟持具３の裏側内壁面３２と膜体２とを固定し、型板１の表側の膜体２に張力を付与する。挟持具３の裏側内壁面３２と膜体２とが固定される過程では、固定部材４の材料や挟持具３の挟持する圧力の違いにより、固定部材４の巾あるいは挟持溝３１の深さと等しい長さの膜体２を引き込む場合もあるし、膜体２の上を固定部材４がいくらか滑りながら引き込む場合もある。そして、付与される張力の大きさは、仮止め時の膜体２の緩みの程度と、挟持具３が引き込む膜体２の長さで決まる。なお図６は、挟持具３の装着直後の、型板１の裏側の状況を示しており、挟持具３よりはみ出ている膜体２の部分は、最終的に切除して美感良くつくる。なお、本実施形態の図面には、型板外縁端部の断面形状を、挟持具３の装着によって膜体が型板裏側に引き込まれやすいように略Ｕ字状とし、挟持具３の横断面の内形も型板に合わせて略Ｕ字状としているが、本発明はともにこれに限定しない。また、挟持具３の横断面の外形も挟持具３の内形に合わせて略Ｕ字状としているが、これに限定しない。そして、型板１を矩形として例示しているが、これに限定しない。
【００１５】
このように本実施形態の反射板は、膜体２が型板１の外縁の形状に沿って張られ、型板１と膜体２は挟持具３による挟持部分以外で完全に分離している。そのため、型板１の材質に起因する表面の細かな凹凸は膜体２の光反射面に影響を及ぼさない。型板１の役割は、膜体２に形態安定性を付与することと、風による飛散を防ぐ重量を付与することである。また、固定部材４に接着材あるいは粘着材を用いる場合においても、型板１の表裏どちらにも仮止め以外の接着痕や粘着痕を残さず、膜体２の取り外しは容易であり、膜体２の張り替えにも支障をきたさない。一方、挟持具３の装着によって、膜体２と挟持具３との固定と、膜体２への張力の付与、そして反射板の外縁部の保護を同時に完了する。特に、この挟持具３の装着は、機械的、連続的な操作で行うことができるため、均一な張力を膜体２に作用させて、たるみない反射面を形成することに寄与することができる。
【００１６】
なお、図７に示すように、固定部材４は、型板１の裏側へ巻き込んだ膜体２の外縁に設けられていても良い。この場合、挟持具３は膜体２を引き込みつつ固定部材４の上を滑りながら膜体２と固定される。また固定部材４を膜体２と挟持具３の両方に設けても良く、膜体２の引き込みをより確実にする。
【００１７】
また、図８に示す変形例のように、型板１は、互いに連結可能な型板片６同士を突き付けて継いでも良い。図８（イ）（ロ）（ハ）（ニ）は型板片６の継ぎ目１１の例示であり、接着剤を併用することによって型板１を一体にできる。継ぎ目１１は、型板１と膜体２が分離している構成のため、光反射面に影響を及ぼさない。また、光反射面に影響を及ぼさない型板１の裏側に当て材を用いて型板片６同士を継いでも良いし、金具が用いられていても良い。  
【００１８】
そしてまた、図９に示す変形例のように、型板１に切り込み１２を設けても良い。型板１の切り込み１２は、型板１と膜体２が分離している構成のため、反射面に影響を及ぼさない。切り込み１２は、図９（イ）に示すように、１つに限らず複数であっても、図９（ロ）に示すように、型板１の外縁部に達するものであっても、そして図９（ハ）に示すように、閉じた図形として切り込んで開口部１３として形成しても、さらにはそれらを組み合わせたものであっても良い。切り込み１２および開口部１３は、使用環境に伴ない型板１の一部に生じる変形が型板１全体に伝播することを抑制する効果をもたらす。
【００１９】
さらに、図１０に示す変形例のように、膜体２を袋状に形成し、型板１を袋状膜体２４の中に挿入するようにしても良い。図１０（イ）は三方に袋綴じ部２５をもつ袋状膜体２４の背面図であり、図１０（ロ）は二方に袋綴じ部２５をもつ袋状膜体２４の背面図である。ともに、袋口部２６の側には綴じ代となる膜体巻き込み部２１を設けており、袋口部２６から袋状膜体２４の中に型板１を挿入する。そのＢ−Ｂ´線矢視断面図が図１０（ハ）である。この変形例の特徴は、袋綴じ部２５の側において膜体２の仮止めを省略できることにある。そのため、袋口部２６の側で膜体巻き込み部２１を型板１の裏側へ折り返して仮止めしたのち、四周に挟持具３を装着する工程でつくられる。なお、本図は矩形としての例示であるが、図１０（ロ）は円形の反射板にも応用できる。
【００２０】
そしてさらに、図1１に示す変形例のように、型板１は外縁部さえあれば、面的な広がりをもたなくても良い。ただし、飛散防止のための重量が不足する場合は、型板１と一体あるいは連結している架台７で補うこができる。そして架台７は型板１の変形を防止するためにも設けることができる。なお、架台７の形状は任意で良く、たとえば図1２のように、高さのある架台７を用いて反射面の位置を高くつくることもできる。図1２（イ）は膜体２を設ける前の状態を示した斜視図であり、図1２（ロ）は部分断面図である。架台７は架台脚７１と架台脚固め７２から構成されており、架台脚固め７２にアンカーを設けて地面に固定しても良い。
【００２１】
「第２実施形態」
第２実施形態の反射板に用いる挟持具３の構成を図1３に示す。図１３は挟持具３の断面斜視図である。具体的には、本実施形態の反射板は、型板１と、型板１の表側に配された光反射性のある膜体２と、型板１の外縁部において型板１の裏側へ巻き込んだ膜体２を挟持する挟持溝３１を有する挟持具３と、挟持溝３１における型板１の裏側に対向する裏側内壁面３２と膜体２との摩擦度合いを、型板１の表側に対向する表側内壁面３３と膜体２との摩擦度合いよりも高くする高摩擦部５１が、裏側内壁面３２に設けられている点に主たる特徴がある。
【００２２】
図面に示すように、本実施形態に用いる挟持具３の裏側内壁面３２は、細かな凹凸あるいは細かな刻み目を一面に設けた粗面３４であり、平滑なままとしている表側内壁面３３と比べて摩擦度合いの高い高摩擦部５１が裏側内壁面３２に形成されている。この挟持具３を型板１の外縁部へ装着する際には、高摩擦部５１が、型板１の表側の膜体２を連れて型板１の裏側へと引き込んで、型板１の表側の膜体２に張力を付与することができる。裏側内壁面３２には、挟持具３本体とは別の部材（固定部材４）を設けておらず、裏側内壁面３２と一体に形成された高摩擦部５１と挟持具３の挟持力により、膜体２の引き込みと膜体２との摩擦固定を果たす。そのため挟持具３は、挟持具３本体あるいはその内壁面を粘弾性に富んだ合成樹脂でつくり、そして挟持具３の肉厚を大きくしたり、挟持具３の内部に金属の芯材を挟むなどして挟持する力を高めると良い。
【００２３】
また、図１４に示す変形例のように、表側内壁面３３の形状を工夫することで裏側内壁面３２を高摩擦部５１とすることもできる。図１４は、表側内壁面３３に突き出た挟持突部３５を備えており、膜体２と表側内壁面３３との間に隙間をつくって膜体２との接触面を小さくしている。そのため、表側内壁面３３は、平坦なままの裏側内壁面３２に比べて低摩擦部５２を形成し、裏側内壁面３２には高摩擦部５１が形成される。なお、挟持突部３５は表側内壁面３３と一体に設けても別体として設けても良い。また、表側内壁面３３に低摩擦部５２を形成したうえで、さらに裏側内壁面３２を粗面３４として高摩擦部５１が形成されも良い。
【００２４】
このように、本実施形態の挟持具３の構成は、型板１の表側と裏側における挟持溝３１の内壁面の摩擦抵抗の違え方に特徴がある。具体的には、表側内壁面３３と裏側内壁面３２との素材を違えて、裏側内壁面３２により粘弾性に富んだ素材を用いることでも、あるいは表側内壁面３３により粘弾性に乏しい材料を用いることでも裏側内壁面３２を高摩擦部５１とすることができる。あるいは、挟持溝３１の内壁面がひとつの粘弾性に富んだ素材でつくられていても、内壁面を硬化したり、滑りやすくするコーティングを表側内壁面３３に施すことによって、裏側内壁面３２を高摩擦部５１とすることもできる。
【００２５】
「第３実施形態」
第３実施形態の反射板の構成を図１５に示す。図１５は反射板の外縁部の拡大断面図である。具体的には、本実施形態の反射板は、型板１の外縁部の裏側に設けられた外縁段差部１４と、挟持具３の裏側内壁面３２に突出している嵌合突部３６とが嵌合している点に主たる特徴がある。
【００２６】
図１６は、その挟持具３の装着過程を示した説明図である。図１６（イ）に示すとおり、型板１の裏側の外縁部には溝型の外縁段差部１４が設けられており、一方、挟持具３の裏側内壁面３２には突出した嵌合突部３６が設けられている。そして本実施形態では、この嵌合突部３６に固定部材４を設けており、挟持具３を型板１の外縁部へ装着する際に、図１６（ロ）に示すとおり、固定部材４が型板１の表側の膜体２を連れて型板１の裏側に引き込みつつ、挟持具３の嵌合突部３６と型板１の外縁段差部１４とが嵌合する。型板１と挟持具３とが嵌合する構成は、型板１が使用環境に伴って変形した場合においても挟持具３を外れにくくして、安定した光反射面の持続に寄与する。なお、固定部材４は、膜体２の側に設けても良い。また、嵌合突部３６に固定部材４を設ける代わりに、高摩擦部５１を形成させても良い。
【００２７】
さらにまた、図１７の変形例のように、型板１の裏側に設ける外縁段差部１４を溝型とせず、型板１の先端の厚さを中程部よりも大きくして外縁段差部１４を形成しても良い。
【００２８】
「第４実施形態」
第４実施形態の反射板の構成を図１８から図２１に示す。図１８と図１９は反射板の正面図と背面図である。図２０は反射板のＣ−Ｃ´線矢視断面図であり、図２１は反射板外縁部の拡大断面図である。具体的には、本実施形態の反射板は、型板１の表側の中程部に型板凹部１５を有して、型板１の表側と膜体２との間に隙間をもたせている点に主たる特徴がある。
【００２９】
図面に示すように本実施形態の反射板は、型板１の外縁部に、型板１の表側の面外に突出する外縁突出部１６を設けている。この外縁突出部１６は、成形をはじめ接着や溶着、あるいは切削により設けることができる。外縁突出部１６は、型板１の外縁部の剛性を高め、使用環境に伴う型板１の変形を抑制する効果をもたらす。そして、この外縁突出部１６を型板１の表側とすることによって、型板１の表側の中程部において、型板１と膜体２との間に隙間（型板凹部１５）をつくる。この隙間の形成により、使用環境によって型板１が表側に凸状に変形した場合においても、隙間の範囲内で、凸面鏡状の反射面の形成を抑制できる。なお、本実施形態の図面には、第１実施形態に示す固定部材４によって膜体２と挟持具３とを固定しているが、第２実施形態や第３実施形態に示す方法で固定しても良い。また、型板１を矩形として例示しているが、本発明はこれに限定しない。
【００３０】
なお、図２２に示す変形例のように、型板１の外縁突出部１６の形状を違えても良い。図２２（イ）は、屈折した形状としている例であり、図２２（ロ）は型板１の外縁部での厚さを、型板１の中程部よりも大きくしている例である。
【００３１】
「第５実施形態」
第５実施形態の反射板の構成を図２３から図２６に示す。図２３と図２４は反射板の正面図と背面図である。図２５は反射板のＤ−Ｄ´線矢視断面図であり、図２６は反射板外縁部の拡大断面図である。具体的には、本実施形態の反射板は、型板１の中程部が弾性変形（撓曲）して、外縁部よりも型板１の裏側に突き出す形状になっている点に主たる特徴がある。
【００３２】
本実施形態に用いる型板１は、平板状の円形であり、型板１の外縁部に型板１の中心から偏心している開口部１３とつながるスリット１７を設けている。図２７は、その型板１の弾性変形の過程を示す説明図であって、図２７（イ）は弾性変形前の型板１の背面図、図２７（ロ）は弾性変形過程の型板１の背面図を示している。型板１に開口部１３が設けられていること、その開口部１３が偏心して円環状の型板１の巾を部分的に細くしていること、さらに、スリット１７による切り込みが円環状の型板１の１ケ所を破断させているために、型板１は、挟持具３の装着時の加圧によって弾性変形しやすい構成となっている。その弾性変形によって、型板１の中程部が外縁部よりも型板１の裏側に突き出す形状となり、しかも、切り込みのスリット１７があるために、スリット１７の巾が型板１の外縁部で詰まることにより、その弾性変形はさらに促される。その結果、挟持具３は、型板１の表側の膜体２を連れて型板１の裏側へ多く引き込んで、型板１の表側の膜体２に強い張力をもたらし、鏡面状の反射面を形成できる。そして、型板１の外縁部でのスリット１７の巾の詰まり方は、型板１の裏側へ引き込む膜体２の長さと連動して形成されるため、鏡面状の反射面の形成は確実である。一方、型板１は、挟持具３と膜体２によって、弾性変形した状態に拘束されて、使用環境に伴う型板１の変形を抑制できる。なお、この開口部１３は、型板１の裏側が円錐状に尖る形状になることを防ぎ、反射板を安定した状態に据え置く台座としての役割を果たしている。なお、本実施形態の例示では、型板１の外縁部と挟持具３とを嵌合する構成とせず、第１実施形態に示す固定部材４によって膜体２と挟持具３とを固定しているが、第２実施形態や第３実施形態に示す構成で固定しても良い。
【００３３】
一方、弾性変形している型板１は、復元して平板状に戻ろうとする。図２８は、型板１の弾性復元が挟持具３に及ぼす影響を示している。図２８（イ）に示すように、型板の復元に伴って挟持具３が下へ押し下げられる過程で、挟持具３には型板１の表側の膜体２によって引き寄せられる力が作用するため、用いる挟持具３の挟持溝３１の深さが浅い場合、挟持する力が弱い場合、あるいは型板１の外縁部と嵌合する嵌合突部３６をもたない場合には、挟持具３は型板１の表側へ傾いて型板１から離脱しやすくなる。しかし、型板１が円形である場合、図２８（ロ）に示すように、挟持具３が型板１から離脱する際には、挟持具３の長さは一定であるため、少し離れた個所には内向きの力が作用する。したがって、型板１の弾性復元による挟持具３の離脱変形は、この力の作用により相殺され、弾性変形している円形の反射板は、用いる挟持具３にかかわらず弾性変形した形態をより安定して維持できる特徴がある。
【００３４】
一方、型板１に開口部１３を設けることは重量を軽くすることであり、風による飛散を促してしまうが、開口部１３が偏心して外縁部の一方に重心を偏らせている構成にすることより、型板１を厚くして重量を増やすことなく、型板１を厚くして本実施形態の特徴である弾性変形を妨げることなく、開口部１３を風下に向ける使い方によって飛散を抑制することができる。
【００３５】
なお、本実施形態の反射板は、挟持具３の装着時に型板１が弾性変形しやすいようにその形状を工夫したものである。型板１の材質が弾性に富んでいる場合には、型板１に開口部１３だけを設けた形状でも良く、その開口部１３も偏心していなくて良い。また、開口部１３の形状を円形としているが、弾性変形を促すための開口部１３であって、本発明はこれに限定しない。
【００３６】
なお、図２９の変形例のように、開口部１３に替えて、複数の放射状のスリット１７を型板１の中程部に設けても良い。図２９（イ）は反射板の背面図であり、図２９（ロ）は反射板のＥ−Ｅ´線矢視断面図である。型板１の外縁部に達したスリット１７の巾が型板１の外縁部で詰まることにより弾性変形は促される。また、型板１の裏側での変形形状は尖った形状となるため、脚７３を設けて反射板を安定した状態に据え置くことができる。
【００３７】
さらに、図３０の変形例のように、型板１の形状を隅丸矩形とすることもできる。一方、図３１は矩形の型板１が弾性変形した状態の俯瞰図である。開口部１３とつながるスリット１７を設けた矩形の型板１（図３１（イ））は、弾性変形により型板１の外周が四隅で跳ね上がり、膜体２を平滑に張ることができない形状となる（図３１（ロ））。しかし、型板１の四隅を大きく面取りした隅丸矩形は、跳ね上がる影響を削いでいるため、より平滑な反射面を形成できる。
【００３８】
「第６実施形態」
第６実施形態の反射板の構成を図３２から図３４に示す。図３２は反射板の背面図であり、図３３は反射板の型板の背面図である。図３４は反射板のＦ−Ｆ´線矢視断面図である。具体的には、本実施形態の反射板は、第５実施形態と同様に、型板１の中程部が外縁部よりも型板１の裏側に突き出す形状に型板１が弾性変形している反射板であって、型板１が矩形であり、その型板１の四隅にスリット１７を設けている点に主たる特徴がある。
【００３９】
型板１の四隅にスリット１７と開口部１３を設けている型板１は、挟持具３の装着時の加圧によって弾性変形しやすい構成となっている。その弾性変形は、型板１の中程部が外縁部よりも型板１の裏側に突き出す形状であり、四隅にスリット１７があるため弾性変形しても型板１の外周が四隅で跳ね上がることなく、膜体２を平滑に張ることができる。そして、その弾性変形により、膜体２には強い張力がもたらされ、鏡面状の光反射面を形成する。一方、型板１は、挟持具３と膜体２によって、弾性変形した状態に拘束されて、使用環境に伴う型板１の変形を抑制できる。また、弾性変形した矩形の型板１は、例えば型板１の外縁部と挟持具３の形状を第３実施形態に示す構成とすることによって平板状に復元することを防ぎ、その変形した形態をより安定して維持できる。なお、開口部１３は、反射板を安定した状態に据え置く台座としての役割を果たしている。第６実施形態の図面には、開口部１３の形状を円形として例示しているが、本発明はこれに限定しない。
【００４０】
また、図３５の変形例のように、型板１には必ずしも開口部１３を設けなくとも良い。スリット１７の長さは型板１の有する弾性によって決めて良い。なお、型板１の弾性変形によって型板１の裏側中央は曲面状となるため、反射板を安定した状態に据え置くための脚７３を設けて良い。
【００４１】
「第７実施形態」
第７実施形態の反射板の構成を図３６と図３７に示す。図３６は反射板の背面図であり、図３７は反射板のＧ−Ｇ´線矢視断面図である。具体的には、型板１が互いに連結可能な複数の型板片６からなり、隣り合う型板片６同士が連結具６１により連結されて、型板片６同士の間に隙間６３がつくられている点に主たる特徴がある。
【００４２】
図面に示すように本実施形態は、平板状の扇形の４枚の型板片６を連結して、全体として円形の開口部１３を有する円形の型板１を形成し、型板１の裏側に突き出す状態に変形させている反射板であって、各型板片６同士を開口部１３に沿って設けられた連結具６１により連結している。図３８は、型板片６を連結する工程を示している。連結具６１はコの字型の断面をしており、型板片６の開口部１３の側には、連結具６１を挿入する位置を示す切り欠き６４が設けられおり、その切り欠き６４に連結具６１を差し込むことによって自ずと型板片６同士の間に一定の隙間６３をつくるように連結具６１の長さを決めている。なお、連結具６１は金属をはじめとする剛性の高い材料でつくられており、図の例示では型板片６と連結具６１とを接着固定している。
【００４３】
本実施形態の反射板は、連結具６１による型板片６同士の固定が部分的であり、そして型板片６同士の間に隙間６３をつくっているために、挟持具３の装着によって、各型板片６は型板１の裏側に突き出す形状に変形しやすくなっている。そのため挟持具３の装着によって、反射板の外縁部において型板片６同士の間の隙間６３を詰まらせて、型板１の表側の膜体２を型板１の裏側へと多く引き込むことが可能であり、膜体２に強い張力を付与した鏡面状の光反射面を形成できる。また、型板１が小片に分割されているため、使用環境に伴って生じる各型板片６の変形量は小さく、また、ひとつの型板片６に生じる変形を他の型板片６に伝播させない特徴を有している。
【００４４】
なお詳細には、反射板の外縁部で４枚の扇形の型板片６同士の隙間６３を詰まらせて変形させる型板１の立体的形状には大きく２タイプある。その形状を図３９に示す。図３９（イ）は、平板状の型板片６が撓曲して円錐台状に型板１の裏側に突き出す弾性変形であって、型板片６が弾性に富んでいる場合の変形となる。型板片６の反射板の外縁側と開口部１３側はともに平坦に形成され、膜体２を平滑に張ることができる。一方、型板片６の剛性が高い場合には、図３９（ロ）のように、型板片６は撓曲せず平板まま傾斜し、角錐台状に型板１の裏側に突き出す変形となる。型板片６の反射板の外縁側と開口部１３側は、扇形の型板片６が有する円弧形状がともに影響するため、弓なりの起伏をつくって平坦ではなく、円形の反射板とすることができない。また、図３９（イ）（ロ）の中間として、図４０のように型板片６を扁平な扇状とすることによっても反射板をつくることができるが、これも円形の反射板とならない。そのため本実施形態では、開口部１３に沿うように長さをもたせた連結具６１を用いて隣り合う型板片６同士を連結するとともに、連結具６３によって隣り合う型板片６同士の開口部１３側端部の剛性を一体的に高め歪まないようにすることにより、型板片６の弾性がいくらか不足している場合においても、開口部１３側につくられる起伏を抑え、扇形の型板片６を用いて平滑な膜体２を円形に形成できるようにしている。なお、本実施形態の図面には、型板片６の枚数を４枚として例示しているが、これに限定しない。なお、型板片６の弾性を向上させるために、型板片６の開口部１３側あるいは反射板の外縁となる側に、切り込み１２やスリット１７、あるいは切り欠きを設けも良いし、型板片６の裏側あるいは表側に、反射板の外縁となる側から開口部１３の側に向かう複数本の溝を設けて撓曲しやすくしても良い。また、連結具６１と型板片６とはねじ止めとして複数個所を固定しても良い。
【００４５】
また、図４１に示す変形例のように、連結具６１は隣り合う型板片６同士が向き合う直線部分を固定するものであっても良い。この連結具６１はコの字型の断面をしており、開口部１３の側に設けられた切り欠き６４の位置に差し込むことによって、隣り合う型板片６同士の間に一定の隙間６３をつくっている。また連結具６１は、隣り合う型板片６同士を長くつかむよう広い巾を有しており、ねじ止めあるいはハトメ等の止め具を用いて固定している。そのため、連結具６３が有する剛性によって、各型板片６が角錐台形状の面となることを防いで、平滑な膜体２が形成できるようにしている。なお、この連結方法は開口部１３の形状を限定しておらず、開口部１３を円形以外とすることもできる。
【００４６】
そしてまた、図４２に示す変形例のように、隣り合う型板片６同士の開口部１３側に重なりを設けて連結しても良い。型板片６同士の重なる箇所は、ハトメあるいはねじ止め等の連結具６１を用いて連結している。各型板片６には連結具６１を通す孔が設けられており、その孔の位置を互いに合わせることで、型板片６同士の間に一定の隙間６３を設けることができる。なお、型板片６同士の重なりは、膜体２と型板１との間に隙間を有する構成であるため光反射面に影響を及ぼさない。そして、隣り合う型板片６同士が重なりを設けて固定されることにより、各型板片６が角錐台形状の面となることを防いで、平滑な膜体２が形成できるようにしている。なお、開口部１３の形状は円形に限定しない。
【００４７】
さらに、図４３に示す変形例のように、型板片６の形状を変えて矩形の反射板とすることもできる。図４３（イ）に示す放射状に４分割された矩形の反射板は、挟持具３の装着によって、型板片の弾性度合いにかかわらず角錐台状に型板１の裏側に突き出す変形となる。図４３（ロ）はその連結具６１の例示である。連結具６１はコの字型の断面をしており、型板片６には、隣り合う型板片６同士が向き合う直線部分の開口部１３近傍に、連結具６１の先端を差し込む挿入溝６２を設けている。その挿入溝６２は、連結具６１を差し込むことで自ずと型板片６同士の間に隙間６３をつくるように位置を決めており、挿入溝６２に差し込んだ連結具６１の先端を折り返し、隣り合う型板片６同士を連結している。このように連結具６１は端部を折り返した構成であるとともに、型板片を連結具６１により両側から挟みつけて固定するものではないために、各型板片６が角錐台形状の面を形成することを妨げていない。なお、開口部１３の形状は円形に限定しない。
【００４８】
なお、第７実施形態および変形例に記載した連結具６１は、型板片６の弾性度合いの違いによって生じる型板片６同士の立体的形状に着目して考案したものである。実施において用いる型板片６はさまざまであり、用いる連結具６１は、記載された連結具を組み合わせても良いし、記載された連結具６１の特徴を複合した連結具６１としても良い。
【００４９】
「第８実施形態」
第８実施形態の反射板の構成を図４４から図４５に示す。図４４は反射板の背面図であり、図４５は反射板のＨ−Ｈ´線矢視断面図である。具体的には、本実施形態の反射板は、型板１が互いに連結可能な複数の型板片６から構成されており、複数の型板片６同士を重ねた状態で連結具６１が連結されており、複数の型板片６を互いにスライド可能にしている点に主たる特徴がある。
【００５０】
図面に示すように本実施形態は、矩形の対角同士を結んで中央をつなげた杵形状の型板片６を２枚直交して重ねて、矩形の反射板としている。図４６はその型板片６の形状を示している。型板片６の中央のくびれ部６５の中心には回転軸となる連結具６１を通す孔６６を設け、２枚の型板片６を連結具６１で連結している。連結具６１は、ハトメ、あるいはねじ止め、あるいはスナップ止めとする。また、隣り合う型板片６同士は、互いの間に一定の隙間６３を設けるためのスペーサー６７（図４７）でも挟持されており、各型板片６にはスペーサー６７を挿入するための切り欠き６４を設けている。なお、スペーサー６７は、挟持具３の装着時の型板片６の回転を防止する役割も果たしている。
【００５１】
このように本実施形態の反射板は、中央にくびれ部６５を有する型板片６により形成されているため、挟持具３の装着によって、各型板片６は弾性変形しやすい形状となっている。そのため膜体２には強い張力がもたらされ、鏡面状の光反射面を形成するとともに、各型板片６は、挟持具３と膜体２によって弾性変形した状態に拘束され、使用環境に伴う各型板片６の変形を抑制できる。なお、この弾性変形により膜体２と型板１の間に隙間をつくるため、型板片６同士が中央で交差する構成であっても、光反射面に影響を及ぼさない。一方、型板片６の裏側は凸面状となって不安定な形状となるが、脚７３を設けて安定した状態に据え置くこともできる。そして、スペーサー６７と脚７３を取り外すことによって、２枚の型板片６は連結具６１を中心に回転して重ねることができる。なお、本実施形態の図面に示した型板片６の枚数は例示であり、さらに増加しても良い。また図面には、反射板を矩形として例示しているが、本発明はこれに限定しない。
【００５２】
また、図４８に示す変形例のように、型板片６は、連結してつくられる型板１の形状を点対称に分割した形状ではなく、線対象に分割した形状であっても良い。図４７は、左右２枚の型板片６の中程部の一部に重なりを設け、全体として偏心した開口部１３を有する円形の型板１を形成している例である。型板片６の重なりにはハトメ、あるいはねじ止め、あるいはスナップ止めによる連結具６１を用いている。また型板片６同士は、互いの間に一定の隙間６３を設けるためのスペーサー６７でも挟持されており、各型板片６にはスペーサー６７を挿入するための切り欠き６４を設けている。そして、２枚の型板片６は連結具６１を中心に回転して重ねることができる。
【００５３】
以上、第１実施形態から第８実施形態までの記載および図示において、変形例も含めて、型板１および型板片６の複数の平面的および断面的構成と、挟持溝３１の内壁面で膜体２を固定する複数の構成を示した。各実施形態の中ではその都度適切な組み合わせを示してもいるが、組み合わせは全てではない。型板１および型板片６と挟持溝３１の内壁面で膜体２を固定する構成との組み合わせは勿論、型板１同士あるいは型板片６同士、挟持溝３１の内壁面で膜体２を固定する構成同士の組み合わせも本発明に含まれる。
【産業上の利用可能性】
【００５４】
本発明に係る反射板は、太陽熱を建物内に導く暖房補助具を意図したものであり、大きな光反射面を安価に提供できる。そして、反射板によってもたらされるものは太陽熱や光だけでなく、膜体に映り込む青空や雲でもある。使用者は、反射板の形や大きさ、そして色を選択して組み合わせを楽しみつつ省エネルギーに貢献することができ、当反射板は、屋外の窓辺に置くガーデニンググッズとして新分野を築く可能性を有している。
【符号の説明】
【００５５】
1     型板
２    膜体
３    挟持具
４    固定部材
５    摩擦部
６    型板片
７    架台
１１    型板片の継ぎ目  
１２    切り込み
１３    開口部
１４    外縁段差部
１５    型板凹部
１６    外縁突出部
１７    スリット
１８    型板の復元方向
２１    膜体巻き込み部
２２    膜体仮止め    
２３    引き込んだ膜体
２４    袋状膜体
２５    袋綴じ部
２６    袋口部    
２７    膜体張力の反力
３１    挟持溝
３２    裏側内壁面
３３    表側内壁面
３４    粗面
３５    挟持突部
３６    嵌合突部
３７    復元に伴う挟持具の離脱方向
３８    挟持具の離脱によって隣接した箇所に生じる力の向き
５１    高摩擦部
５２    低摩擦部
６１    連結具
６２    挿入溝
６３    型板片同士の間の隙間
６４    切り欠き
６５    くびれ部
６６    孔
６７    スペーサー
６８    スペーサー取り付け位置
７１    架台脚    
７２    架台脚固め  
７３    脚  
【図１】
2018136373.tif 000003
【図２】
2018136373.tif 000004
【図３】
2018136373.tif 000005
【図４】
2018136373.tif 000006
【図５】
2018136373.tif 000007
【図６】
2018136373.tif 000008
【図７】
2018136373.tif 000009
【図８】
2018136373.tif 000010
【図９】
2018136373.tif 000011
【図１０】
2018136373.tif 000012
【図１１】
2018136373.tif 000013
【図１２】
2018136373.tif 000014
【図１３】
2018136373.tif 000015
【図１４】
2018136373.tif 000016
【図１５】
2018136373.tif 000017
【図１６】
2018136373.tif 000018
【図１７】
2018136373.tif 000019
【図１８】
2018136373.tif 000020
【図１９】
2018136373.tif 000021
【図２０】
2018136373.tif 000022
【図２１】
2018136373.tif 000023
【図２２】
2018136373.tif 000024
【図２３】
2018136373.tif 000025
【図２４】
2018136373.tif 000026
【図２５】
2018136373.tif 000027
【図２６】
2018136373.tif 000028
【図２７】
2018136373.tif 000029
【図２８】
2018136373.tif 000030
【図２９】
2018136373.tif 000031
【図３０】
2018136373.tif 000032
【図３１】
2018136373.tif 000033
【図３２】
2018136373.tif 000034
【図３３】
2018136373.tif 000035
【図３４】
2018136373.tif 000036
【図３５】
2018136373.tif 000037
【図３６】
2018136373.tif 000038
【図３７】
2018136373.tif 000039
【図３８】
2018136373.tif 000040
【図３９】
2018136373.tif 000041
【図４０】
2018136373.tif 000042
【図４１】
2018136373.tif 000043
【図４２】
2018136373.tif 000044
【図４３】
2018136373.tif 000045
【図４４】
2018136373.tif 000046
【図４５】
2018136373.tif 000047
【図４６】
2018136373.tif 000048
【図４７】
2018136373.tif 000049
【図４８】
2018136373.tif 000050